(57)【特許請求の範囲】
【請求項１】
スリット９が設けられたダイボード１を載置させる定盤８と、該定盤８に載置された該ダイボード１の上記スリット９の上方開口部に下端縁部が差し込まれた帯状の抜型刃物２を下方へ押付けるための下面が平面状である押付盤３と、該押付盤３に上下方向の振動を与えるための電気振動発生機から成る振動付加機構４と、上記定盤８上のダイボード１の所定位置へ上記押付盤３を水平方向に移動させる押付盤移動アーム６と、を備えていることを特徴とする抜型刃物植込み装置。
【請求項２】
帯状の抜型刃物２への過大な押付力を防止するためのバランス手段10を付加した請求項１記載の抜型刃物植込み装置。
【請求項３】
バランス手段10が、コイルスプリング42から成る請求項２記載の抜型刃物植込み装置。
【請求項４】
バランス手段10が、ガススプリングから成る請求項２記載の抜型刃物植込み装置。
【発明の詳細な説明】
【０００１】
【産業上の利用分野】
本発明は、抜型刃物植込み装置に関するものである。
【０００２】
【従来の技術】
一般に、タバコケース，食品包装箱，ダンボール等の各種の箱の製作に於て、素材のシート体（紙等）を打抜くための帯状の抜型刃物（ナイフ）は、合板等のダイボードのスリットに植込まれて用いられる。ダイボードの上記スリットの寸法と形状は極めて高精度である必要があり、かつ、抜型刃物（ナイフ）も（直接的に上記箱の折曲げと組立ての作業性及び箱の品質に影響を与えるため）極めて高精度に専用の自動制御付きナイフ折曲装置にて折曲形成される必要がある。
【０００３】
従来、このように高精度の寸法と形状の（ダイボードの）スリットに、高精度の寸法と形状の抜型刃物（ナイフ）を植込むには、熟練作業者が木槌を用いて、１本づつたたき込んで作業を行なっていた。
【０００４】
【発明が解決しようとする課題】
従来の上述の植込み方法は手作業ゆえに多大な労力を要し一枚のダイボードに多くの抜型刃物（ナイフ）を植込むのに長時間を要して作業能率が良くなかった。
【０００５】
また、ダイボードに帯状の抜型刃物（ナイフ）を植込む際に、騒音の発生、刃先の欠損、指の切断事故等の問題があった。
【０００６】
また、手作業ゆえに帯状の抜型刃物（ナイフ）をダイボードに均一かつ正確に植込むには熟練を要していた。
【０００７】
本発明は、上述の問題を解決し、作業能率の改善、作業の（半）自動化の推進、騒音公害の防止、ダイボードに植込まれた抜型刃物（ナイフ）の品質の向上、作業者の安全性改善を図ることを目的とする。
【０００８】
【課題を解決するための手段】
本発明に係る抜型刃物植込み装置は、スリットが設けられたダイボードを載置させる定盤と、該定盤に載置された該ダイボードの上記スリットの上方開口部に下端縁部が差し込まれた帯状の抜型刃物を下方へ押付けるための下面が平面状である押付盤と、該押付盤に上下方向の振動を与えるための電気振動発生機から成る振動付加機構と、上記定盤上のダイボードの所定位置へ上記押付盤を水平方向に移動させる押付盤移動アームと、を備えているものである。
【０００９】
また、帯状の抜型刃物への過大な押付力を防止するためのバランス手段を付加したものである。
【００１０】
そして、バランス手段が、コイルスプリングから成る。
【００１１】
あるいは、バランス手段が、ガススプリングから成る。
【００１２】
【作用】
（請求項１によれば、）振動付加機構にて、微小な上下方向の振動が押付盤に与えられるので、帯状の抜型刃物はスリット内へ小さな抵抗力で均等に全体が差込まれて（侵入して）ゆく。押付盤は比較的大きな面積とできるので、ダイボードに一度に多くの抜型刃を植込み得る。
【００１３】
さらに、振動付加機構が、電気振動発生機なので、微小な上下の振動を与えることができ、均一にダイボードのスリットへ押込（差込）まれてゆく。
【００１４】
さらに、押付盤を、水平移動させて、ダイボードのスリットに予め下端縁部のみが植込まれた帯状の抜型刃物の上方に対応させ得る。即ち、一枚のダイボードの面積に対し、押付盤が小さい面積である場合に、押付盤を水平移動させつつ、次々と、抜型刃物を押付けてゆくことができる。
【００１５】
（請求項２によれば、）バランス手段にて、帯状の抜型刃物には適度な押付力が与えられる。従って、帯状の抜型刃物の刃先に傷や歪を与えることがなく、かつ、スリットに傷を付けて歪ませることもない。
【００１６】
（請求項３によれば、）バランス手段が簡易な構造となる。
【００１７】
（請求項４によれば、）バランス手段が一定の押上力にて押付盤等の自重を軽減する。これによって、帯状の抜型刃物には過大な押付力がかからず、適度な力でこの帯状の抜型刃物をダイボードに植込むことができる。
【００１８】
【実施例】
以下、本発明の実施例について詳説する。
【００１９】
図１は、ダイボード１に帯状の抜型刃物（ナイフ）２を植込む装置の一例を示し、この装置は押付盤３と振動付加機構４を有する押付力付加部材５と、この押付力付加部材５を保持する水平状の押付盤移動アーム６と、この押付盤移動アーム６の基端を支持する支柱部７とを、備える。
【００２０】
８は定盤であり、この上に、予めレーザー等にて加工されたスリット９を有するダイボード１を載置する。定盤８上のダイボード１のスリット９には、上記押付力付加部材５の押付盤３を接近させる前に、（手作業にて）予め帯状の抜型刃物２の下端縁部34（図３の（イ）参照）を、差し込んでおく。
【００２１】
押付盤３は、金属製基盤部11と、その少なくとも下面全体を被覆したウレタン等の合成樹脂やゴムのクッション材12とを、有する。平面的に見てこの押付盤３は矩形や正方形又は丸型等とする。また、押付盤３の大きさは、最大は定盤８と略同一とすることもできるが、好ましくは定盤８の何分の一かの大きさとして、（複数取りとしての）複数のスリット９の群のみを、一度の作業で押圧可能とする。また、基盤部11は、中央上部に取付ボス部13を有し、かつ、上面に補強リブを放射状に有する。
【００２２】
この基盤部11の取付ボス部13の上方に、修理や交換のために基盤部11を着脱する着脱機構31が設けられている。
【００２３】
さらにその上には、振動付加機構４が設けられていると共に、シャフト14が連設される。このシャフト14の下半部は大径部15として、鍛造スプライン16が形成されており、また、上半部はヘッド部18付きの小径部17が設けられている。
【００２４】
振動付加機構４としては、鉛直一軸方向に（上下に）振動する電気振動発生機（バイブレータ）が望ましい。しかも、この電気振動発生機の外径寸法を、大径部15と略同一径とすれば、コンパクトに（図１の如く）アーム６から垂設できることとなり好都合である。
【００２５】
ところで、押付盤移動アーム６は、長孔部35付の本体部６ａと、矢印Ａの如くこの本体部６ａに沿って往復動可能に取付けられたスライド板19と、を備える。スライド板19には、貫孔付きの保持体23ａ，23ｂが垂設される。
【００２６】
そして、スライド板19の孔36と、本体部６ａの長孔部35に串挿状に、前記シャフト14の小径部17が挿通され、このスライド板19の上面と、ヘッド部18の間には、圧縮コイルスプリング42が介装される（コイルスプリング42は小径部17に外嵌される）。
【００２７】
即ち、上記コイルスプリング42によって、押付力付加部材５の自重（下方向押圧力）を軽減するバランス手段10が構成されている。このバランス手段10は、（言い換えれば）帯状の抜型刃物２を押付ける力が過大となることを防止するものであり、本発明では、その代りに、振動付加機構４が付設されていて、比較的小さな押圧力でも、スムースかつ迅速に、抜型刃物２をダイボード１のスリット９内へ押込むことが実現されている。
【００２８】
なお、20はロックハンドルであり、スライド板19を本体部６ａの所望の位置にて、固定自在である。ところで、バランス手段10としては、コイルスプリングに代えてガススプリングを使用してもよい。
【００２９】
図２は、押付盤３等を省略乃至仮想線にて示した平面図である。この図２と図１に於て、アーム６の基部が支持されている支柱部７は、定盤８の一角部に取付けて立設された固定の支柱本体21と、この支柱本体21に外嵌されて矢印Ｂのように上下動自在でかつ矢印Ｅのように回転自在な移動部32と、を備えている。
【００３０】
言い換えると、移動部32から直接的にアーム６が水平突設されている。そして、移動部32の上下動（矢印Ｂ）及び回転（矢印Ｅ）を停止させるロックハンドル22を付設する。勿論、図示省略したが、上下動ロックと、回転ロックとを、別々のロックハンドルにて行なうも、好ましいことである。
【００３１】
スライド板19の前記保持体23ａ，23ｂの貫孔に、水平状ロック杆25が挿通され、このロック杆25の先端には半円弧状の圧接部33が付設され、基端（手前端）にはレバー24が付設されると共に、先端方向（矢印Ｃ方向）へロック杆25を付勢するコイルスプリング26を備えている。
【００３２】
大きな上下ストロークで、押付力付加部材５を上下動させるとき、レバー24を手で握って引けば、コイルスプリング26は圧縮され、圧接部33がスプライン16から分離できる。逆に、振動付加機構４を作動させ、押付盤３のクッション材12を抜型刃物２の上端縁に当接し、（図３の（イ）から（ロ）のように）刃物２を押込むとき、コイルスプリング26の弾発力にてスプライン16を圧接部33が弾発的に接触しつつ、ゆっくりとかつスムースに押付力付加部材５が下降するようにしている。
【００３３】
次に、この装置を用いて、ダイボード１に帯状の抜型刃物２を植込む方法を説明する。
【００３４】
まず、図３の（イ）に示すように、ダイボード１のスリット９の上方開口部に、予め、手作業にて帯状の抜型刃物２の下端縁部34をわずかに差し込む。（このときアーム６を外方へ揺動して、押付盤３をダイボード１から外れた位置に保つのが良い。）
【００３５】
次に、矢印Ｅ方向にアーム６を内方へ揺動させ、さらに、矢印Ａ方向にスライド板19，押付力付加部材５等を移動して、目的のスリット９の上に押付盤３を対応させる。次に、支柱部７及び押付力付加部材５の下降によって、押付盤３を刃物２に当接し、押付力付加部材５等の自重からバランス手段10による外力を差引いた下方向の力、及び、振動付加機構４の上下一軸方向の振動によって、刃物２をダイボード１のスリット９へ押込むことができる。
【００３６】
なお、図２のようにダイボード１の大きさに比較して、押付盤３の大きさが小さい場合は、２回以上にわたって順次上述の作動を繰返して、ダイボード１の全面にわたって、刃物２…を植込む。
【００３７】
ところで、支柱部７としては、図４に示すように、定盤８に着脱自在に取付けられる取付具45から立設されるものであってもよい。即ち、取付具45は断面コの字状の枠体46と、該枠体46の下壁46ａに螺着される締付ネジ部材47と、を備え、この枠体46の上壁46ｂに支柱部７が立設される。また、締付ネジ部材47は、下壁46ａに螺進退自在に螺着されるネジ軸47ａと、該ネジ軸47ａの一端部に付設された当接片47ｂと、該ネジ軸47ａの他端部側に付設される操作杆47ｃと、からなる。
【００３８】
従って、図４に示すように、定盤８の端縁部に枠体46を嵌合状として、締付ネジ部材47を締付けて、該締付ネジ部材47の当接片47ｂを定盤８の下面に圧接させれば、定盤８上に支柱部７を立設することができる。
【００３９】
また、締付ネジ部材47を緩めれば、取付具45を定盤８から支柱部７を取外せ、この支柱部７に連設されたアーム６、振動付加機構４、押付盤３等全体を、取外すことができる。
【００４０】
即ち、既設の定盤８に、簡単にこの抜型刃物植込み装置を組み付けることができる。
【００４１】
なお、この図４においては、アーム６は、支柱部７のスライド体44から水平方向に突設され、このスライド体44は、支柱部７の支柱本体48に、スライド自在に外嵌され、ロックハンドル49にて該スライド体44が支柱本体48に固定される。
【００４２】
次に、図５と図６は図１に代わる抜型刃物植込み装置を示し、この場合、振動付加機構４及び押付盤３が、アーム６上の支点Ｏを中心に矢印Ｈの如く鉛直面内の揺動が可能とされている。
【００４３】
具体的には、アーム６が断面コの字状のレール50を備え、このレール50にスライダー51が該レール50の長手方向に走行可能として付設されている。
【００４４】
スライダー51は、図６と図７に示すように、底壁51ａと、該底壁51ａから立設される立上り壁51ｂ，51ｃと、からなり、立上り壁51ｂ，51ｃ間にレール50が挿通されている。また、スライダー51の立上り壁51ｃには、断面コの字状のローラ保持体52が取付けられ、このローラ保持体52に、レール50の縦壁50ａの裏面に転動するゴムローラ53が回転自在に枢支されている。
【００４５】
そして、このスライダー51には、枢支軸54を介して、（該スライダー51の前方に配設される）保持板55が付設されている。即ち、枢支軸54が保持板55の頂部、及びスライダー51の立上り壁51ｂ，51ｃの頂部に串挿状に挿通され、保持板55は枢支軸54の軸心である上記支点Ｏを中心に矢印Ｈの如く鉛直面内を揺動する。なお、図６において、56…は、保持板55及びスライダー51の立上り壁51ｂ，51ｃに設けられた軸受56である。
【００４６】
また、スライダー51には、レール50を転動するローラ57…が付設される。即ち、ローラ57…はその軸部58が、スライダー51の立上り壁51ｂに取付けられ、レール50の上下壁50ｂ，50ｃに案内されて走行する。
【００４７】
しかして、保持体55には、振動付加機構４が付設され、この振動付加機構４に着脱機構31を介して、押付盤３が付設される。
【００４８】
着脱機構31は、押付盤３のボス部13が嵌合する筒状部60と、該筒状部60に付設されるネジ部材61…と、振動付加機構４の下端部に付設されるネジ部材62が螺着される連結部63と、を備える。
【００４９】
従って、ネジ部材61…を緩めれば、筒状部60からボス部13を取外すことができて、押付盤３を振動付加機構４から取外すことができる。
【００５０】
逆に、押付盤３のボス部13を筒状部60に嵌合させて、ネジ部材61を締め付ければ、押付盤３を取付けることができる。なお、ネジ部材62…を緩めれば、着脱機構31自体も取外すことができる。
【００５１】
また、レール50は、水平面及び鉛直面内の揺動を可能として、その基端部50ａが軸64を介して支柱部７に枢支され、ガススプリング等からなる弾発部材65にてバランスされている。
【００５２】
なお、レール50の先端部50ｂには、操作レバー66が設けられ、この操作レバー66を図５の実線で示すように、下方へ揺動させることにより、レール50を仮想線で示すように、水平状に配設することができる。
【００５３】
このように、保持板55に振動付加機構４を介して連結された押付盤３は、支点Ｏを中心に矢印Ｈの如く揺動自在となり、押付盤３はその自重によりそのボス部13が鉛直状に保持されて、その基盤部11が水平状に保持される。
【００５４】
ところで、この場合も、支柱部７は、取付具45から立設されるが、この場合の取付具45は後述する図８の別の実施例に示すように、支柱部７が立設される枠体77と、該枠体77に着脱自在に取付けられる取付枠78と、を備え、この取付枠78に、図４に示す取付具45の締付ネジ部材47が螺着され、枠体77と取付枠78とで定盤８の端縁部を嵌合状として、この締付ネジ部材47を締付けることにより、この取付具45を定盤８に取付けることができる。
【００５５】
従って、この抜型刃物植込み装置を使用しても、刃物２を確実にスリット９へ押込むことができる。
【００５６】
次に、図８は別の実施例の要部分解斜視図を示し、この場合、アーム６であるレール50を、一対のパイプ材66，66から構成している。
【００５７】
即ち、このパイプ材66，66には、スライダー67がスライド自在に付設され、このスライダー67に保持板68が枢支され、この保持板68に振動付加機構４が取付けられ、この振動付加機構４に着脱機構31を介して押付盤３が取付けられる。
【００５８】
ところで、この場合のスライダー67は、ボールスライダーブッシュー69を備えた一対のブロック体70，70と、該ブロック体70，70を挾持する挾持板71ａ，71ｂと、からなり、ブロック体70，70のボールスライダーブッシュー69にパイプ材66が挿通される。
【００５９】
従って、このスライダー67に付設される振動付加機構４及び押付盤３はレール50に沿ってスライドする。
【００６０】
また、保持板68は、スライダー67に挿通される枢支軸72にて枢支され、図５に示す抜型刃物植込み装置と同様、押付盤３が、支点Ｏを中心に矢印Ｈ（図５参照）の如く揺動自在となり、押付盤３の基盤部11が水平状に保持される。
【００６１】
そして、パイプ材66，66の基端部は、支持体73に支持され、この支持体73の突部73ａが支柱部７に挿入され、ピン74を介して枢支されている。この支持体73は支柱部７に内装される弾発部材76にて上方へ弾発付勢され、この弾発部材76にて押付力付加部材５の自重が軽減される。また、支柱部７には、レール50の跳ね上がり防止用の弾発部材75が内装されている。
【００６２】
また、支柱部７の下端には、上述の取付具45が連設され、この支柱部７を定盤８に取付けることができる。なお、図５に示す取付具45も同様であるが、取付枠78の側壁78ａには、鉛直方向長孔88，88が設けられ、取付枠78の枠体77に対する取付位置を調整することができ、これにより種々の厚さの定盤８に対応して取付具45を取付けることができる。
【００６３】
パイプ材66，66の先端部は、連結片79にて連結され、この連結片79には操作レバー80が連設されている。また、着脱機構31は、押付盤３のボス部13が挿入保持される保持体81と、該保持体81に着脱自在に取付けられる取付ブロック82と、を備え、この取付ブロック82を保持体81に取付けることによって振動付加機構４の下端部がこの着脱機構31に取付けられる。
【００６４】
次に、図９は、さらに別の実施例を示し、この場合、アーム６が、平行な一対のレール83，84と、レール83，84の先端部を連結する連結体85と、レール83，84間にＸ字状に配設される枠体86，87とからなり、この場合も、レール83，84が、水平面内及び鉛直面内の揺動が可能とされ、しかも、レール83，84に沿って振動付加機構４付の押付盤３はスライドする。
【００６５】
従って、図８と図９に示す抜型刃物植込み装置も刃物２を確実にスリット９へ押込むことができる。
【００６６】
ところで、図５と図８の抜型刃物植込み装置の振動付加機構４としては、エアー式のバイブレータであり、図５に示すように、配管90を介してエアーを供給・排出することにより、振動を発生させる。なお、配管90は図示省略のエアー源に連通連結されるが、このエアー源の入切の切換えは、例えば、足踏式とされる。
【００６７】
【発明の効果】
本発明は、上述の構成により、次のような著大な効果を奏する。
【００６８】
（請求項１によれば、）上下の振動が与えられた押付盤３にて、ダイボード１に帯状の抜型刃物２を全体的に均一かつ平均にかつスムースに植込むことができる。
【００６９】
また、ダイボード１に抜型刃物２が、（半）自動的に植込まれるので、熟練を要さず、刃物植込み作業の能率が改善されると共に、騒音も少なくなり、しかも、指等を負傷せず安全面においても優れている。
【００７０】
特に、ダイボード１の大きい面積範囲に刃物２を高能率にかつ静粛に植込み得る効果は顕著である。
【００７１】
さらに、安定して、押付盤３に微小な鉛直一軸方向に上下の振動を与えることができ、より一層確実に、帯状の抜型刃物２をダイボード１に植込むことができる。
【００７２】
さらに、ダイボード１に植込みたいと所望する帯状の抜型刃物２の上方へ、押付盤３を自由自在に移動させることができ、広い面積のダイボード１に有効である。
【００７３】
（請求項２によれば、）バランス手段10により、帯状の抜型刃物２に過大な押付力がかからないようにすることができ、スリット９や刃物２に歪みを与えたり、傷付けることなく、円滑に植込みが行なわれて、刃物２の形状が高精度となる。
【００７４】
（請求項３によれば、）バランス手段10として、簡単な構造をしていて、かつ、弾性力をもっているので、帯状の抜型刃物２に過大な押付力がかからないようにすることができる。
【００７５】
（請求項４によれば、）バランス手段10として、上方向の一定の力を安定して及ぼすので、帯状の抜型刃物２にかかる過大な押付力をやわらげることができる。
【図面の簡単な説明】
【図１】本発明の一実施例を示す斜視図である。
【図２】本発明の一実施例を示す簡略平面図である。
【図３】帯状の抜型刃物のダイボードへの植込み状態を示した説明図である。
【図４】本発明の変形例を示す要部正面図である。
【図５】図１に代わる他の実施例を示す斜視図である。
【図６】要部断面図である。
【図７】要部斜視図である。
【図８】別の実施例を示す要部分解斜視図である。
【図９】さらに別の実施例を示す簡略図である。
【符号の説明】
１  ダイボード
２  帯状の抜型刃物
３  押付盤
４  振動付加機構
６  押付盤移動アーム
８  定盤
９  スリット
10  バランス手段
42  コイルスプリング
【図１】
0003605187.tif 000002
【図２】
0003605187.tif 000003
【図３】
0003605187.tif 000004
【図４】
0003605187.tif 000005
【図５】
0003605187.tif 000006
【図６】
0003605187.tif 000007
【図７】
0003605187.tif 000008
【図８】
0003605187.tif 000009
【図９】
0003605187.tif 000010